【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
被検眼の断層画像から網膜層の形状を解析する解析手段と、
前記網膜層の形状の第１の特徴量を取得する特徴量取得手段と、
前記第１の特徴量と、記憶手段に記憶された複数の第２の特徴量を比較する比較手段と、
前記比較の結果に基づいて前記被検眼のカテゴリを取得する取得手段と
を具備することを特徴とする画像処理システム。
【請求項２】
前記特徴量取得手段は、
前記網膜の所定の層情報に基づいて生成された３次元の形状データから前記特徴量を取得する
ことを特徴とする請求項１記載の画像処理システム。
【請求項３】
網膜層の中から所定の層を選択する選択手段
を更に具備し、
前記解析手段は、
前記選択された層の３次元の形状データを生成する
ことを特徴とする請求項１又は２に記載の画像処理システム。
【請求項４】
前記カテゴリを示す表示形態で表示装置に表示する表示制御手段
を更に具備することを特徴とする請求項１から３のいずれか１項に記載の画像処理システム。
【請求項５】
前記表示制御手段は、
前記特徴量取得手段により取得された前記第１の特徴量と、複数の前記第２の特徴量との両方を前記表示装置に表示する
ことを特徴とする請求項４記載の画像処理システム。
【請求項６】
前記表示制御手段は、
前記第１の特徴量と複数の前記第２の特徴量とをグラフ上にプロットして前記表示装置に表示する
ことを特徴とする請求項５記載の画像処理システム。
【請求項７】
前記表示制御手段は、
被検眼が疾病である可能性を段階的に示す複数の領域を前記グラフ上に表示する
ことを特徴とする請求項６記載の画像処理システム。
【請求項８】
前記表示制御手段は、
複数の前記第２の特徴量を、前記複数の領域のうちのいずれに属するかによってその表示形式を変更させて表示する
ことを特徴とする請求項７記載の画像処理システム。
【請求項９】
前記特徴量取得手段により取得された前記第１の特徴量に基づいて、前記記憶手段に記憶された複数の断層画像の中から類似する断層画像を検索する検索手段
を更に具備し、
前記表示制御手段は、
前記検索手段により検索された断層画像を前記表示装置に表示する
ことを特徴とする請求項５から８のいずれか１項に記載の画像処理システム。
【請求項１０】
前記特徴量取得手段により取得された前記第１の特徴量と、複数の前記第２の特徴量とを比較する比較手段
を更に具備し、
前記表示制御手段は、
前記比較の結果に基づいて、複数の前記第２の特徴量の値のうちのいずれかに対する、前記特徴量取得手段により取得された前記第１の特徴量の値の差を色を変更させてマップ上に表示する
ことを特徴とする請求項５記載の画像処理システム。
【請求項１１】
前記特徴量取得手段は、
網膜層の深さ方向に直交する平面である計測面を前記深さ方向に沿って移動させることにより得られる前記網膜層と前記計測面との交差領域の面積、及び前記網膜層と前記計測面との間に生じる領域の体積の増減率、
前記網膜層の円形度を示す情報、及び
前記網膜層の形状の曲率を示す情報
のいずれかを前記第１の特徴量として取得する
ことを特徴とする請求項５から１０のいずれか１項に記載の画像処理システム。
【請求項１２】
画像処理システムの処理方法であって、
解析手段が、被検眼の断層画像から網膜層の形状を解析する工程と、
特徴量取得手段が、前記網膜層の形状の第１の特徴量を取得する工程と、
比較手段が、前記第１の特徴量と、記憶手段に記憶された複数の第２の特徴量を比較する工程と、
取得手段が、前記比較の結果に基づいて前記被検眼のカテゴリを取得する工程と
を含むことを特徴とする処理方法。
【請求項１３】
請求項１から１１のいずれか１項に記載の画像処理システムによる処理をコンピュータに実行させるためのプログラム。
【手続補正２】
【補正対象書類名】明細書
【補正対象項目名】０００９
【補正方法】変更
【補正の内容】
【０００９】
上記課題を解決するため、本発明の一態様による画像処理システムは、被検眼の断層画像から網膜層の形状を解析する解析手段と、前記網膜層の形状の第１の特徴量を取得する特徴量取得手段と、前記第１の特徴量と、記憶手段に記憶された複数の第２の特徴量を比較する比較手段と、前記比較の結果に基づいて前記被検眼のカテゴリを取得する取得手段とを具備する。
【手続補正３】
【補正対象書類名】明細書
【補正対象項目名】００２７
【補正方法】変更
【補正の内容】
【００２７】
画像処理部３３には、検出部４１と、解析部４２と、判定部４３と、位置合わせ部４７とが具備される。
【手続補正４】
【補正対象書類名】明細書
【補正対象項目名】００３０
【補正方法】変更
【補正の内容】
【００３０】
解析部４２は、解析対象となる網膜層の解析を行なう。解析部４２には、判定部４３と、網膜層解析部４４と、解析結果作成部４５と、形状データ作成部４６とが設けられる。
【手続補正５】
【補正対象書類名】明細書
【補正対象項目名】００３２
【補正方法】変更
【補正の内容】
【００３２】
網膜層解析部４４は、判定部４３の判定結果に基づいて、解析対象となる網膜層に対して解析処理を行なう。なお、本実施形態においては、３次元の形状解析処理として、近視眼の黄斑の解析を行なう場合について説明する。解析結果作成部４５では、解析結果（網膜層の状態を示す情報）を提示するための各種データを作成する。形状データ作成部４６では、撮影により得られた複数の断層画像同士を位置合わせし、３次元の形状データを作成する。すなわち、３次元の形状データは、網膜層の層情報に基づいて作成される。
【手続補正６】
【補正対象書類名】明細書
【補正対象項目名】００６４
【補正方法】変更
【補正の内容】
【００６４】
［Ｓ２０４］
画像処理装置３０は、網膜層解析部４４において、網膜層の３次元の形状解析を行なう。ここでは、形状解析の方法として、網膜層の面積と体積とを計測する手法について例を挙げて説明する。
【手続補正７】
【補正対象書類名】明細書
【補正対象項目名】０１２３
【補正方法】変更
【補正の内容】
【０１２３】
［Ｓ２０７］
画像処理装置３０は、網膜層解析部４４において、網膜層の検出結果に基づいて形状解析を行なう。この解析処理では、３次元の形状データ等を作成せずに、網膜層の検出結果を用いた解析が行なわれる。例えば、層厚の解析等が行なわれる。
【手続補正８】
【補正対象書類名】明細書
【補正対象項目名】０１３８
【補正方法】変更
【補正の内容】
【０１３８】
次に、操作者が、入力装置５４を介して、図１３で説明した断層画像観察画面４００を操作した場合について説明する。
【手続補正９】
【補正対象書類名】明細書
【補正対象項目名】０１４８
【補正方法】変更
【補正の内容】
【０１４８】
比較演算部６０２は、形状特徴量（第１の特徴量）と、外部記憶装置５２に記憶される統計データベース５５に保持された形状特徴量（第２の特徴量）とを比較し、その比較結果を出力する。なお、統計データベース５５とは、多数眼のデータから作成されるものであり、人種別、年齢別のデータを統合して作成される。すなわち、統計データベース５５には、複数の被検眼から得られた統計的な特徴量が保持される。なお、眼科の分野においては、左右眼別、眼軸長別など、眼特有のパラメータで分類されていても良い。
【手続補正１０】
【補正対象書類名】明細書
【補正対象項目名】０１５４
【補正方法】変更
【補正の内容】
【０１５４】
面積及び体積の増減率を算出する場合、特徴量取得部６０１は、網膜層解析部４４による３次元の形状解析の解析結果に基づいて、ＲＰＥの最深部の位置から１００μｍ、２００μｍ、３００μｍなどと一定の高さ（深さ）にあるときの面積及び体積をそれぞれ求める。そして、その結果に基づいて面積及び体積の増減率を網膜層の形状特徴として求める。
【手続補正１１】
【補正対象書類名】明細書
【補正対象項目名】０１８３
【補正方法】変更
【補正の内容】
【０１８３】
第１の解析結果表示部９３０には、断層画像９０１、ＳＬＯ画像９０２、眼底写真９０３、（３次元の形状）解析結果マップ９０４、及び解析グラフ９０５が表示される。解析グラフ９０５内の丸形状の点９０６は、対象としている被検眼の解析値をグラフの中にプロットした結果を示している。また、星形状の点９０７は、第２の解析結果表示部９４０に表示されている過去の被検眼の解析値をグラフの中にプロットした結果を示している。この場合、解析グラフ９０５では、横軸が形状特徴量を示し、縦軸が画像特徴量を示す。勿論、これに限られず、解析結果として、実施形態３で説明した曲率値を示すグラフなどで表示しても良い。
【手続補正１２】
【補正対象書類名】明細書
【補正対象項目名】０１８４
【補正方法】変更
【補正の内容】
【０１８４】
第２の解析結果表示部９４０には、断層画像９１１及び９２１、ＳＬＯ画像９１２及び９２２、眼底写真９１３及び９２３、（３次元の形状）解析結果マップ９１４及び９２４、被検眼の診断情報９１５及び９２５が表示される。診断情報は、診断経過を示す情報であり、例えば、年齢、診断名、治療歴、視力、レフ値、ケラト値、眼軸長などが含まれる。図２３の場合、縦の列に沿って同一の被検眼の画像及び診断情報が表示されているが、勿論、横に沿って、同一の被検眼の画像及び診断情報を並べて表示するようにしても良い。
【手続補正１３】
【補正対象書類名】図面
【補正対象項目名】図１
【補正方法】変更
【補正の内容】
【図１】
2013153884.tif 000001
【手続補正１４】
【補正対象書類名】図面
【補正対象項目名】図９
【補正方法】変更
【補正の内容】
【図９】
2013153884.tif 000002
【手続補正１５】
【補正対象書類名】図面
【補正対象項目名】図１０
【補正方法】変更
【補正の内容】
【図１０】
2013153884.tif 000003
【手続補正１６】
【補正対象書類名】図面
【補正対象項目名】図１７
【補正方法】変更
【補正の内容】
【図１７】
2013153884.tif 000004
【手続補正１７】
【補正対象書類名】図面
【補正対象項目名】図２２
【補正方法】変更
【補正の内容】
【図２２】
2013153884.tif 000005